(57)【要約】【目的】  本発明の目的は、脚部を取付部の凹部に圧入するにも関わらず、前記脚部を簡単に取り付け又は取り外しを行うことができる脚部の取付構造を提供する。【構成】  この取付構造Ｓは、取付部１３０の凹部１３３の天井部に上下方向に向けて設けられた貫通孔１３３ａと、第１の脚部２１０の先端面に上下方向に向けて設けられたネジ孔部２１１と、厚入部２３０の天井部にネジ孔部２１１と連通するように設けられた連通孔２３３と、取付部１３０の上面側から貫通孔１３３ａに挿入され、凹部１３３に挿入された第１の脚部２１０のネジ孔部２１１に螺合されるネジ部３００とを有する。【選択図】      図３
2008163963.tif 000002
【特許請求の範囲】
【請求項１】
取付部にその一面側に向けて設けられた凹部に、脚部の先端部が圧入されることにより取り付けられる脚部の取付構造において、
前記凹部に、前記脚部の圧入方向に向けて設けられた貫通孔と、
前記脚部の先端部の先端面に、前記圧入方向に向けて設けられたネジ孔部と、
前記取付部の他面側から前記貫通孔に挿入され、前記凹部に挿入された前記脚部の前記ネジ孔部に螺合されるネジ部とを備えることを特徴とする脚部の取付構造。
【請求項２】
請求項１記載の脚部の取付構造において、
前記脚部の先端部には、前記凹部に圧入される樹脂製の圧入部が設けられていることを特徴とする脚部の取付構造。
【請求項３】
請求項１記載の脚部の取付構造において、
前記厚入部の外周面には、前記軸方向に向けたスリットが設けられていることを特徴とする脚部の取付構造。
【請求項４】
請求項１、２又は３記載の脚部の取付構造を備えたテーブルであって、
前記取付部が設けられた天板部を有し、
前記天板部には、前記取付部から取り外された状態の前記脚部を着脱可能に保持する保持部が設けられていることを特徴とするテーブル。
【発明の詳細な説明】
【技術分野】
【０００１】
本発明は、テーブルの天板部等の取付部に対する脚部の取付構造及びこれを用いたテーブルに関する。
【背景技術】
【０００２】
従来、アウトドア等に用いられるテーブルとしては、天板部に脚部が折り畳み可能に取り付けられたもの、天板部の取付部の凹部に脚部が圧入されるようになっているもの等がある。なお、脚部の取付部の凹部への取付構造としては、特許文献１及び２に記載されている。
【０００３】
【特許文献１】実開昭５７−１５９７４９号公報
【特許文献２】特開平１１−２４４０５１号公報
【発明の開示】
【発明が解決しようとする課題】
【０００４】
前者は、脚部が天板部に沿って折り畳まれた状態で、当該天板部の端部から突出しないようになっている。このため、脚部の長さが天板部の大きさに左右されるという本質的な欠点を有している。
【０００５】
一方、後者は、前者のような欠点はないものの、前記脚部を前記凹部に圧入する際及び抜く際に大きな力を必要とする。すなわち、後者は、脚部の取り付け又は取り外しが困難であるという別の欠点を有している。
【０００６】
本発明は、上記事情に鑑みて創案されたものであって、その目的とするところは、脚部を取付部の凹部に圧入するにも関わらず、前記脚部を簡単に取り付け又は取り外しを行うことができる脚部の取付構造及びこれを備えたテーブルを提供することにある。
【課題を解決するための手段】
【０００７】
上記課題を解決するために、本発明の脚部の取付構造は、取付部にその一面側に向けて設けられた凹部に、脚部の先端部が圧入されることにより取り付けられる脚部の取付構造であって、前記凹部に、前記脚部の圧入方向に向けて設けられた貫通孔と、前記脚部の先端部の先端面に、前記圧入方向に向けて設けられたネジ孔部と、前記取付部の他面側から前記貫通孔に挿入され、前記凹部に挿入された前記脚部の前記ネジ孔部に螺合されるネジ部とを備える。
【０００８】
このようにネジ部が前記取付部の凹部の貫通孔を通じて、当該凹部に挿入された前記脚部のネジ孔部に螺合されるようになっている。このため、前記ネジ部を回転させることにより、前記脚部の先端部を前記凹部内を前進又は後進させ、当該脚部の先端部の前記凹部への圧入の具合を向上又は低下させることができる。
【０００９】
前記脚部の先端部には、前記凹部に圧入される樹脂製の圧入部が設けられていることが好ましい。この場合、前記脚部の前記凹部への取り付け又は取り外しが簡単になる。
【００１０】
前記厚入部の外周面には、前記軸方向に向けたスリットが設けられていることが好ましい。このように厚入部にスリットを設けることにより、当該厚入部と前記凹部との摩擦係数を低減することができるので、前記脚部の前記凹部への取り付け又は取り外しが簡単になる。
【００１１】
本発明のテーブルは、上記脚部の取付構造を備えたテーブルであって、前記取付部が設けられた天板部を有し、前記天板部には、前記取付部から取り外された状態の前記脚部を着脱可能に保持する保持部が設けられている。
【００１２】
このように取り外した前記脚部を前記天板部に設けられた保持部に取り付けることにより、可搬性の高いテーブルとすることができる。
【発明の効果】
【００１３】
本発明の脚部の取付構造による場合、ネジ部が前記取付部及び凹部の貫通孔を通じて、当該凹部に挿入された前記脚部のネジ孔部に螺合されているため、前記ネジ部を回転させると、前記脚部の先端部が前記凹部内を前進又は後進する。これにより前記脚部の先端部の前記凹部への圧入の具合が向上又は低下するので、当該脚部の先端部を前記凹部に圧入したとしても簡単に取り付け又は取り外しを行うことができる。
【発明を実施するための最良の形態】
【００１４】
以下、本発明の実施の形態に係る脚部の取付構造を用いたテーブルについて図面を参照しながら説明する。図１は本発明の実施の形態に係る脚部の取付構造を用いたテーブル示す図であって、( ａ) が同テーブルのの正面図、( ｂ）が同テーブルの側面図、図２は( ａ) が同テーブルの平面図、( ｂ）が同テーブルの底面図、図３は図２に示すＡ−Ａ拡大断面図、図４は同テーブルの分解斜視図、図５は同テーブルの脚部の拡大正面図、図６は同テーブルの脚部を天板部の保持部に取り付けた状態を示す底面図、図７は同テーブルの設計変更例を示す正面図である。
【００１５】
ここに掲げるテーブルは、四隅に４つの取付部１３０が設けられた天板部１００と、４つの脚部２００と、この脚部２００を取付部１３０に各々着脱可能に取り付ける４つの取付構造Ｓとを備えている。以下、詳しく説明する。
【００１６】
天板部１００は、図１乃至図４に示すように、略矩形状の板状体である天板部本体１１０と、この天板部本体１１０の４つの辺部に取り付けられる４つのガード部１２０と、このガード部１２０の間に取り付けられる４つの取付部１３０と、天板部本体１１０の下面に設けられた４つの保持部１４０とを有している。
【００１７】
ガード部１２０は、下向き略Ｌ字状の中空のステンレス製品であって、水平部１２１と、この水平部１２１に直交する垂直部１２２とを有する。
【００１８】
水平部１２１は、幅方向の先端面及び長さ方向の両端面が開放されている。この水平部１２１の先端部に天板部本体１１０の辺部が嵌まり込む。
【００１９】
一方、垂直部１２２は、長さ方向の両端面が開放されている。この垂直部１２２の両端部に２つの取付部１３０の嵌合部１３２が各々嵌合する。
【００２０】
取付部１３０は、扇状の本体部１３１と、この本体部１３１の両端部に設けられた２つの矩形状の嵌合部１３２と、本体部１３１の頂部に設けられた円筒状の凹部１３３と、この凹部１３３の外周面に設けられた固定部１３４とを有した樹脂製の成形品である。
【００２１】
一方の嵌合部１３２は、ガード部１２０の垂直部１２２の一端部に嵌合し、当該垂直部１２２の下面にネジ止めされる。他方の嵌合部１３２は、前記ガード部１２０に直角に配置される別のガード部１２０の垂直部１２２の他端部に嵌合し、当該垂直部１２２の下面にネジ止めされる。
【００２２】
本体部１３１は、一方の嵌合部１３２がガード部１２０の垂直部１２２の一端部に、他方の嵌合部１３２が別のガード部１２０の垂直部１２２の他端部に嵌合することにより、両ガード部１２０の間に位置する。
【００２３】
固定部１３４は、略扇状の板状の固定部本体１３４ａと、この固定部本体１３４ａの両端部に各々設けられた２つの固定アーム１３４ｂとを有する。一方の固定アーム１３４ｂはガード部１２０の垂直部１２２の下面にネジ止めされる。他方の固定アーム１３４ｂは別のガード部１２０の垂直部１２２の下面にネジ止めされる。
【００２４】
凹部１３３は、その開口が下方( 即ち、天板部１００の一面側) に向けられている。この凹部１３３には脚部２００の厚入部２３０が圧入される。
【００２５】
保持部１４０は、図２( ｂ）及び図６に示すように、ベース部１４１と、このベース部１４１上に設けられた２つの断面視略円弧状の保持部本体１４２とを有する。一方の保持部本体１４２には、脚部２００の第１の脚部２１０が嵌合し、他方の保持部本体１４２には、当該脚部２００の第２の脚部２２０が嵌合する。
【００２６】
脚部２００は、図１乃至図６に示すように、第１の脚部２１０と、この第１の脚部２１０の後端部に取り付けられる第２の脚部２１０と、第１の脚部２１０の先端部に設けられる厚入部２３０とを有している。
【００２７】
第１の脚部２１０は、下面が開放されたステンレス製のポールである。この第１の脚部２１０の後端部の外周面には、係合孔部２１２が設けられている。
【００２８】
厚入部２３０は、図３及び図５に示すように、第１の脚部２１０の先端部に被せられる断面視略凹字状の樹脂成形品である。この厚入部２３０の外壁面は、その先端から基端にかけて拡大するテーパ面となっている。この厚入部２３０の外壁面には、その厚み方向に貫通する４つの第１のスリット２３１が９０°間隔で設けられている。また、厚入部２３０の外壁面の４つの第１のスリット２３１の間には、当該第１のスリット２３１よりもその深さ寸法が小さい複数の第２のスリット２３２が設けられている。この第１、第２のスリット２３１、２３２により厚入部２３０が凹部１３３に圧入されたときの接触面積を低減し、両者の摩擦係数の低減を図っている。
【００２９】
第２の脚部２２０は、第１の脚部２２０の後端部に挿入される幅狭の先端部と、この先端部に連続する幅広の後端部とを有したステンレス製のポールである。この第２の脚部２２０の先端部の外周面には、第１の脚部２２０の係合孔部２１２に係合される係合凸部２２１が出入り可能に設けられている。この係合凸部２２１は図示しない付勢手段により突出方向に付勢されている。
【００３０】
即ち、前記付勢手段の付勢力に抗して係合凸部２２１を第２の脚部２１０内に押し込んだ状態で、当該第２の脚部２２０を第１の脚部２１０の後端部に挿入する。その後、係合凸部２２１と係合孔部２１２との位置が一致すると、前記付勢手段の付勢力により係合凸部２２１が第２の脚部２２０の外周面から突出し係合孔部２１２に係合される。
【００３１】
取付構造Ｓは、図３に示すように、取付部１３０の凹部１３３の天井部に上下方向( 即ち、脚部２００の第１の脚部２１０の圧入方向) に向けて設けられた貫通孔１３３ａと、第１の脚部２１０の先端面に上下方向に向けて設けられたネジ孔部２１１と、厚入部２３０の天井部にネジ孔部２１１と連通するように設けられた連通孔２３３と、取付部１３０の上面側( 即ち、取付部１３０の他面側) から貫通孔１３３ａ及び連通孔２３３に挿入され、第１の脚部２１０のネジ孔部２１１に螺合されるネジ部３００とを有する。
【００３２】
貫通孔１３３ａ、ネジ孔部２１１及び連通孔２３３は、その直径が略同じであり且つ同心円状に配設される。
【００３３】
ネジ部３００は、ネジ部本体３１０と、このネジ部本体３１０のヘッド部に取り付けられる操作部３２０と、ネジ部本体３１０に取り付けられる座金部３３０とを有している。
【００３４】
ネジ部本体３１０は、取付部１３０の凹部１３３の貫通孔１３３ａに当該取付部１３０の上面側( 即ち、他面側) から挿入され、当該凹部１３３内に位置する部分が座金部３３０により回転可能に固定されている。
【００３５】
操作部３２０は断面視略下向き凹字状のカップ体である。この操作部３２０の外周縁部には操作し易くするための凸凹が設けられている。
【００３６】
以下、このような構成のテーブルの脚部２１０の取り付け手順について説明する。まず、脚部２００の第１の脚部２１０を保持部１４０の一方の保持部本体１４２から取り外す。
【００３７】
その後、第１の脚部２１０の先端部及び厚入部２３０を、取付部１３０の凹部１３３に挿入し圧入する。これと共に、ネジ部３００のネジ部本体３１０を、厚入部２３０の連通孔２３３に挿入させ、第１の脚部２１０のネジ孔部２１１に螺合させる。
【００３８】
その後、操作部３２０を操作してネジ部本体３１０を一方向に回転させる。すると、ネジ孔部２１１がネジ部本体３１０に沿って上方向に前進し、第１の脚部２１０の先端部及び厚入部２３０が凹部１３３内を上方向に前進する。これにより、厚入部２３０の凹部１３３への圧入の具合が向上する。
【００３９】
その後、第２の脚部２２０を保持部１４０の他方の保持部本体１４２から取り外す。そして、第２の脚部２２０の係合凸部２２１押下しつつ、当該第２の脚部２２０の先端部を第１の脚部２１０の後端部に挿入する。その後、第２の脚部２２０の係合凸部２２１と第１の脚部２１０の係合孔部２１２との位置を一致させると、前記付勢手段の付勢力により、係合凸部２２１が係合孔部２１２に係合される。このようにして脚部２１０が取付部１３０に取り付けられる。
【００４０】
以下、上記テーブルの脚部２１０の取り外し手順について説明する。まず、第２の脚部２２０の係合凸部２２１を押下しつつ、当該第２の脚部２２０を第１の脚部２１０から引き抜く。そして、第２の脚部２２０を保持部１４０の他方の保持部本体１４２に嵌合させる。
【００４１】
その後、操作部３２０を操作してネジ部本体３１０を他方向( 即ち、一方向の逆) に回転させる。すると、ネジ孔部２１１がネジ部本体３１０に沿って下方向に後進し、第１の脚部２１０の先端部及び厚入部２３０が凹部１３３内を下方向に後進する。これにより、厚入部２３０の凹部１３３への圧入の具合が、第１の脚部２１０が凹部１３３から容易に取り外すことができる程度に低下する。
【００４２】
その後、第１の脚部２１０を凹部１３３から引き抜く。そして、第１の脚部２１０を保持部１４０の一方の保持部本体１４２に嵌合させる。
【００４３】
このようなテーブルによる場合、取付構造Ｓのネジ部３００のネジ部本体３１０が取付部１３０の凹部１３３の貫通孔１３３ａ及び脚部２００の厚入部２３０の連通孔２３３に順次挿入され、且つ当該脚部２００の第１の脚部２１０のネジ孔部２１１に螺合されている。このため、ネジ部３００を回転させることにより、脚部２００の厚入部２３０が取付部１３０の凹部１３３内を前進又は後進する。よって、従来例の如く脚部２００の第１の脚部２１０を取付部１３０の凹部１３３に取り付け又は取り外すに当たり大きな力を必要とせず、簡単に第１の脚部２１０を取り付け又は取り外すことができる。
【００４４】
しかも、厚入部２３０に第１、第２のスリット２３１、２３２を設け、当該厚入部２３０と凹部１３３との摩擦係数の低減を図っている。即ち、第１の脚部２１０を取付部１３０の凹部１３３に取り付け又は取り外すのに必要な力を低減することができる。よって、この点でも、第１の脚部２１０を取り付け又は取り外しが簡単になる。
【００４５】
なお、天板部１００については、板状であればよく、任意に設計先行可能である。例えば、図７に示すように、長方形とすることも可能であるし、円形や三角形とすることも可能である。
【００４６】
取付部１３０については、２つのガード部１２０の間に取り付けられるとしたが、これに限定されるものではない。例えば、天板部１００の天板部本体１１０に切欠きを設け、この切欠きに嵌め込むようにしても良いし、天板部本体１１０と一体的に設けるようにしても良い。
【００４７】
また、取付部１３０の形状については、少なくとも脚部が圧入される凹部が設けられていれば良い。
【００４８】
保持部１４０については、設けるか否かは任意である。この保持部１４０の形状については上記実施例に限定されず、後述する脚部を保持可能である限り任意に設計変更可能である。
【００４９】
脚部２００については、取付部の凹部に圧入可能な脚部であって、その先端面にネジ孔部が設けられていれば良い。即ち、厚入部２３０を設けるか否かは任意であり、脚部の先端部を前記凹部に直接圧入するようにしても良い。
【００５０】
厚入部２３０の形状については、前記取付部の凹部に圧入し得るものであればどのようなものを用いても構わない。
【００５１】
上記実施例においては、取付構造Ｓがテーブルに備えられるものとして説明したが、これに限定されるものではない。例えば、椅子に設けられた取付部に脚部を取り付ける構造とすることができる。なお、ここでいう脚部とは、棚等の組み立て構造体の支柱等を含む概念であり、当該構造体の取付部に脚部を取り付ける構造として用いることができる。
【図面の簡単な説明】
【００５２】
【図１】本発明の実施の形態に係る脚部の取付構造を備えたテーブルを示す図であって、( ａ) が同テーブルのの正面図、( ｂ）が同テーブルの側面図である。
【図２】( ａ) が同テーブルの平面図、( ｂ）が同テーブルの底面図である。
【図３】図２に示すＡ−Ａ拡大断面図である。
【図４】同テーブルの分解斜視図である。
【図５】同テーブルの脚部の拡大正面図、
【図６】同テーブルの脚部を天板部の保持部に取り付けた状態を示す底面図である。
【図７】同テーブルの設計変更例を示す正面図
【符号の説明】
【００５３】
１３０    取付部
１３３    凹部
１４０    保持部
２００    脚部
Ｓ        取付構造
１３３ａ  貫通孔
２１１    ネジ孔部
３００    ネジ部
【図１】
2008163963.tif 000003
【図２】
2008163963.tif 000004
【図３】
2008163963.tif 000005
【図４】
2008163963.tif 000006
【図５】
2008163963.tif 000007
【図６】
2008163963.tif 000008
【図７】
2008163963.tif 000009